(57)【要約】【課題】  簡単な操作で表地カーテンと裏地カーテンを装着できるカーテン用アジャスターフックを提供する。【解決手段】  可撓性材料で構成されたカーテンフック本体１０と、カーテンフック本体１０の底部の一方の側面からＵ字状に曲げられて設けられた表地カーテン差込部１１と、カーテンフック本体１０に設けられたラチェット部１２と、ラチェット部１２に滑動・固定可能に係止される可撓性材料で構成され、ラチェット係合用ボックスと前記ラチェット係合ボックス上に設けられたフックとからなるランナー掛け用のフック部１３と、からなるカーテン用アジャスターフックは、カーテンフック本体１０の底部の他方の側面に裏地カーテン係止用の第２の差込部１４が固定して設けられている。【選択図】図１
2014217709.tif 000002
【特許請求の範囲】
【請求項１】
可撓性材料で構成されたカーテンフック本体と、
前記カーテンフック本体の底部の一方の側面からＵ字状に曲げられて設けられた表地カーテン差込部と、
前記カーテンフック本体に設けられたラチェット部と、
前記ラチェット部に滑動・固定可能に係止される可撓性材料で構成され、ラチェット係合用の爪部を有するラチェット係合用ボックスと前記ラチェット係合ボックス上に設けられたフックとからなるランナー掛け用のフック部と、
からなるカーテン用アジャスターフックにおいて、
前記カーテンフック本体の底部の他方の側面に裏地カーテン係止用の第２の差込部が固定して設けられていることを特徴とするカーテン用アジャスターフック。
【請求項２】
前記本体のラチェット部が設けられた側面の底部側に、前記ランナー掛け用のフックの取り外し機構が設けられていることを特徴とする請求項１に記載のカーテン用アジャスターフック。
【請求項３】
前記ランナー掛け用のフックの取り外し機構が前記ラチェット部と前記カーテンフックの底部との間に設けられた少なくとも前記ラチェット係合用ボックスの高さ以上の長さを有する溝部であり、前記ランナー掛け用のフック部を前記溝部に位置した際に前記裏地カーテンの差込部側に前記フック部を引っ張ることにより前記フック部を外せるように構成したことを特徴とする請求項２に記載のカーテン用アジャスターフック。
【請求項４】
可撓性材料で構成されたカーテンフック本体と、
前記カーテンフック本体の底部の一方の側面からＵ字状に曲げられて設けられた表地カーテン差込部と、
前記カーテンフック本体に設けられたラチェット部と、
前記ラチェット部に滑動・固定可能に係止される可撓性材料で構成され、ラチェット係合用の爪部を有するラチェット係合用ボックスと前記ラチェット係合ボックス上に設けられたフックとからなるランナー掛け用のフック部と、
からなるカーテン用アジャスターフックにおいて、
前記フック部と対向するように前記ラチェット部に滑動・固定可能に係止される可撓性材料で構成され、ラチェット係合用の爪部を有するラチェット係合用ボックスと前記ラチェット係合ボックス上に設けられたフックとからなる裏地カーテン差込用の第２のフック部が設けられていることを特徴とするカーテン用アジャスターフック。
【請求項５】
表地カーテンと、裏地カーテンと前記表地カーテンと前記裏地カーテンの頂部に所定間隔で取り付けられた請求項１から請求項４のいずれか１項に記載のカーテン用アジャスターフックにより前記表地カーテンと裏地カーテンとが一体化されていることを特徴とするカーテンセット。
【請求項６】
前記裏地カーテンが、遮光性カーテン、遮音性カーテン、微粒子吸着用カーテンからなる群から選択された少なくとも１種の機能を有する機能性カーテンであることを特徴とする請求項５に記載のカーテンセット。
【請求項７】
前記裏地カーテンが使い捨てカーテンであることを特徴とする請求項４から請求項６のいずれか１項に記載のカーテンセット。
【発明の詳細な説明】
【技術分野】
【０００１】  本発明は、カーテン用アジャスターフックに関する。より詳しく述べると、表地カーテンと裏地カーテンの両方を係留するカーテンフックに関する。本発明は、当該カーテン用アジャスターフックと表地カーテンと、裏地カーテンとからなるカーテンに関する。
【背景技術】
【０００２】  従来の遮光性を持たない通常のカーテンに遮光性等の機能を持たせるため、裏地として遮光性等の機能性裏地カーテンを表側のカーテンの裏側に取り付ける方法がとられている。【０００３】  例えば、特許文献１には、図７に示すようなフック部１０１、表地カーテン差込部１０２及び裏地カーテン差込部１０３を有するカーテンフックを介してカーテンレールに吊り下げられる表地カーテンに、裏地カーテンを取り付けて二重カーテンを構成する方法として、表地カーテンに装着されているカーテンフックに裏地カーテンを引っ掛け、そのカーテンフックを介して表地カーテンと裏地カーテンを接合一体化している。【０００４】  一般に、カーテンのランナーに対する吊り方は、図８に示す通り、Ａ吊りとＢ吊りの２通りである。Ａ吊りは、カーテン上縁の高さをランナー下端の高さと略一致させる吊り方であり、Ｂ吊りはカーテン上縁の高さをランナー下端の高さよりも取付片の上下幅の略半分だけ高くする吊り方であり、その際のカーテンフックの位置を各々Ａフック、Ｂフックと呼んでいる。【０００５】  このようなカーテンを吊る際に、カーテンフックには、カーテンの吊り高さを多段階に調整するアジャスターフックと称されるものがある。アジャスターフックは、本体と、別体のアジャスターとからなる。アジャスターは、上部にカーテンランナーのリングに係止させる逆Ｕ字形のフックを、下部に左右の上向き爪を備える枠部を有する。本体は、Ｕ字形であり、一側は外嵌するアジャスターをラチェット式に下方にのみ自由に移動させることのできる多段階の下向き爪が設けられた係合片に、他側はカーテンに挿入される取り付け片にそれぞれ形成される。【０００６】  アジャスターの枠部を本体の係合部に上から外嵌して下方に押し下げるとき、アジャスターの上向き爪は、本体の下向き爪の先端を越えた瞬間を除き、常に弾性変形して本体の下向き爪の表面を滑るが、本体の各段階の下向き爪の先端を越えた瞬間、弾性的に反発し、先端が本体の下向き爪の先端と当接する。このとき、アジャスターを放すと、アジャスターは上向き爪が当接する下向き爪の段位置に安定停止する。このように、アジャスーフックは、ランナーに対するカーテンの吊り高さを多段階に調整することができる（例えば、特許文献２参照）。
【先行技術文献】
【０００７】
【特許文献】
【特許文献１】  特公昭６２−２８０１号公報
【特許文献２】  特開２００２−２０９７２１号公報
【発明の開示】
【発明が解決しようとする課題】
【０００８】  特許文献１に記載のフックの場合、カーテンのランナーへの吊り方が制限されてしまいまた、特許文献２に記載のアジャスターフックを適用して表地カーテンに新たに裏地カーテンを適用する場合、フック本体と差込の間に裏地カーテンの中央テープ内に挿入した後、カーテンフックを反転させて表地カーテンを差込に差し込む必要があり、複雑な操作が必要であった。【０００９】  したがって、本発明の課題は、簡単な操作で表地カーテンと裏地カーテンを装着できるカーテン用アジャスターフックを提供することである。【００１０】  本発明の他の課題は、簡単な操作で裏地カーテンを着脱できるカーテン用アジャスターフックを備えた各種機能を有するカーテンセットを提供することである。
【課題を解決するための手段】
【００１１】  本発明の他の課題は、次の各項目に関する。
１  可撓性材料で構成されたカーテンフック本体と、
前記カーテンフック本体の底部の一方の側面からＵ字状に曲げられて設けられた表地カーテン差込部と、
前記カーテンフック本体に設けられたラチェット部と、
前記ラチェット部に滑動・固定可能に係止される可撓性材料で構成され、ラチェット係合用の爪部を有するボックスと前記ラチェット係合ボックス上に設けられたフックとからなるランナー掛け用のフック部と、
からなるカーテン用アジャスターフックにおいて、
前記カーテンフック本体の底部の他方の側面に裏地カーテン係止用の第２の差込部が固定して設けられていることを特徴とするカーテン用アジャスターフック。【００１２】２  前記本体のラチェット部が設けられた側面の底部側に、前記ランナー掛け用のフックの取り外し機構が設けられていることを特徴とする１に記載のカーテン用アジャスターフック。【００１３】３  前記ランナー掛け用のフックの取り外し機構が前記ラチェット部と前記カーテンフックの底部との間に設けられた少なくとも前記ラチェット係合用ボックスの高さ以上の長さを有する溝部であり、前記ランナー掛け用のフック部を前記溝部に位置した際に前記裏地カーテンの差込部側に前記フック部を引っ張ることにより前記フック部を外せるように構成したことを特徴とする請求項２に記載のカーテン用アジャスターフック。【００１４】４  可撓性材料で構成されたカーテンフック本体と、
前記カーテンフック本体の底部の一方の側面からＵ字状に曲げられて設けられた表地カーテン差込部と、
前記カーテンフック本体に設けられたラチェット部と、
前記ラチェット部に滑動・固定可能に係止される可撓性材料で構成され、ラチェット係合用の爪部を有するラチェット係合用ボックスと前記ラチェット係合ボックス上に設けられたフックとからなるランナー掛け用のフック部と、
からなるカーテン用アジャスターフックにおいて、
前記フック部と対向するように前記ラチェット部に滑動・固定可能に係止される可撓性材料で構成され、ラチェット係合用の爪部を有するラチェット係合用ボックスと前記ラチェット係合ボックス上に設けられたフックとからなる裏地カーテン差込用のフック部が設けられていることを特徴とするカーテン用アジャスターフック。【００１５】５  表地カーテンと、裏地カーテンと前記表地カーテンと前記裏地カーテンの頂部に所定間隔で取り付けられた１から４に記載のカーテン用アジャスターフックにより前記表地カーテンと裏地カーテンとが一体化されていることを特徴とするカーテンセット。【００１６】６  前記裏地カーテンが、遮光性カーテン、遮音性カーテン、微粒子吸着用カーテンからなる群から選択された少なくとも１種の機能を有する機能性カーテンであることを特徴とする５に記載のカーテンセット。【００１７】７  前記裏地カーテンが使い捨てカーテンであることを特徴とする４から６のいずれか１項に記載のカーテンセット。
【発明の効果】
【００１８】  本発明の第１実施形態に係るカーテン用アジャスターフックは、表地カーテンの吊り位置を自在に調整することが可能であるとともに、カーテン用アジャスターフックにランナーおよび表面フックを係止したまま、裏地カーテンを着脱することができる。そのため、裏地カーテンを取り外して取り替えることやカーテンを表地カーテンランナーから取り外すことなく容易に裏地カーテンを装着することが可能となる。【００１９】  このカーテン用アジャスターフックの好ましい実施形態において、前記ランナー掛け用のフックの取り外し機構が前記ラチェット部と前記カーテンフックの底部との間に設けられた少なくとも前記ラチェット係合用ボックスの高さ以上の長さを有する溝部であり、前記ランナー掛け用のフック部を前記溝部に位置した際に前記裏地カーテンの差込部側に前記フック部を引っ張ることにより前記フック部を外せるように構成したので、上記効果に加えてフック部を自在に着脱可能となる。しかも、フック部として既存のカーテンフックを用いることができるので、新たに特別なフック部を作製しなくてすむ。【００２０】  本発明の第２実施形態に係るカーテン用アジャスターフックは、第１実施形態に係るカーテン用アジャスターフックと同様に表地カーテンの吊り位置を自在に調整することが可能であるとともに、カーテン用アジャスターフックにランナーおよび表面フックを係止したまま、裏地カーテンを着脱することができる。そのため、裏地カーテンを取り外して取り替えることやカーテンを表地カーテンランナーから取り外すことなく容易に裏地カーテンを装着することが可能となる。また、裏地カーテンの吊り位置も必要に応じて調整可能である。【００２１】  本発明の第３実施形態において、第１実施形態または第２実施形態のカーテン用アジャスターフックを所定間隔で表地カーテンと裏地カーテンを一体化させたカーテンセットが提供される。このカーテンセットは、第１実施形態または第２実施形態と同様に裏地カーテンを、カーテンランナーから取り外すことなく容易に着脱できるとともに、多種多様の機能を有する裏地カーテンを季節、状態に応じて表地カーテンを外すことなく取り替えることが可能となる。
【図面の簡単な説明】
【００２２】
【図１】  本発明の第１実施形態に係るカーテン用アジャスターフックの斜視図である。
【図２】  図１のカーテン用アジャスターフックの側面図である。
【図３】  図１のカーテン用アジャスターフックに使用するフック部の一例を示す図面である。
【図４】  図１のカーテン用アジャスターフックのフック部を移動している様子を示す図面である。
【図５】  本発明の第２実施形態に係るカーテン用アジャスターフックの斜視図である。
【図６】  本発明のカーテンセットをカーテンランナーに取り付けた様子を示す図面である。
【図７】  従来の表地カーテンと裏地カーテンの両方を止めるカーテンフックを示す図面である。
【図８】  従来のカーテン用アジャスターフックの一例を示す図面である。
【発明を実施するための形態】
【００２３】  以下、本発明の実施の形態を添付図面に基づいて説明する。
（第１実施形態）
まず、図１から図４に基づいて本発明の第１実施形態に係るカーテン用アジャスターフック（以下、第１のカーテンフックと略称する）について説明する。
【００２４】  第１のカーテンフックは、表地カーテンと裏地カーテンの両方を一体化して係止するためのカーテンフックであって、表地カーテンの吊り位置をＡ吊り及びＢ吊りのいずれかに調整するためのアジャスター機能を備えている。
【００２５】  図１および図２に示す通り、第１のカーテンフックは、可撓性材料で構成されたカーテンフック本体１０と、カーテンフック本体１０の底部の一方の側面からＵ字状に曲げられて設けられた表地カーテン差込部１１と、カーテンフック本体１０に設けられたラチェット部１２と、カーテンフック本体１０の底部の他方の側面に固定して設けられた裏地カーテン係止用の第２の差込部１４とから主として構成され、前記ラチェット部にランナー掛け用のフック部１３が挿入・固定できるように構成されている。
【００２６】  第１のカーテンフックに用いられる部材（カーテンフック本体１０、差込部１１、裏地カーテン係止用の第２の差込部１４）は、当該技術分野に周知の可撓性材料、一般には熱可塑性プラスチック、例えばポリアセタール樹脂から構成されている。表地カーテン差込部１１と、カーテンフック本体１０に設けられたラチェット部１２と、カーテンフック本体１０の底部の他方の側面に固定して設けられた裏地カーテン係止用の第２の差込部１４とから主として構成され、前記ラチェット部にランナー掛け用のフック部１３が挿入・固定されている。
【００２７】  表地カーテン差込部１１は、表地カーテンを差し込んで固定するための部材であり、カーテンフック本体１０側に凸部を、表地カーテン差込部１１に凹部を設けて表地カーテンの抜けを防止する構成にすることもできる。
【００２８】  裏地カーテン係止用の第２の差込部１４は、裏地カーテンを差し込んで固定するための部材であり、表地カーテン差込部１１とは逆に裏地カーテン係止用の第２の差込部１４側に凸部を、カーテンフック本体１０側に凹部を設けて裏地カーテンの抜けを防止することが好ましい。
【００２９】  ランナー掛け用のフック部１３（以下、第１のフック部１３という）は、カーテン（表地カーテン・裏地カーテン）を差し込んで固定した第１のカーテンフックをカーテンランナーに係止するためのフックであり、カーテンフック本体１０と同様に該技術分野に周知の可撓性材料、一般には熱可塑性プラスチック、例えばポリアセタール樹脂から構成されている。また、図３に示す通り、第１のフック部１３は、ラチェット部１２に滑動・固定可能に係止される可撓性材料で構成され、ラチェット係合用の爪部１３ａ’を有するボックス１３ａとラチェット係合ボックス１３ａ上に設けられたフック１３ｂとから構成されている。なお、第１のカーテンフックは、カーテンレールに取り付けられたランナーに加えてポールにカーテンを吊るす際に用いられるポールのランナーに取り付けることも可能である。
【００３０】  第１のフック部１３におけるボックス１３ａは、カーテンフック本体１０のラチェット部に挿入するために裏地側には図示しない切れ込みを有しており、ボックス１３ａの弾性力によりカーテンフック本体１０のラチェット部１２内下方方向に滑動する。その際に、周知の通りラチェット部１２のラチェットと爪部１３ａ’が段階的に係止される構成を有している。
【００３１】  なお、図１から図４に示す第１のカーテンフックにおいては、カーテンフック本体１０の側面にラチェット部１２を設けたが、ラチェット部１２をカーテンフック本体１０の前面（カーテン差込部１１と逆方向）に設けることも本発明の範囲内である。
【００３２】  本発明の特定の実施形態においては、カーテンフック本体１０のラチェット部１２の下方からカーテンフックの底部に亘ってボックス１３ａの高さ以上の溝部１５を設けることが好ましい。
【００３３】  このように構成することにより、図４に示す通り第１のフック部１３を溝部に位置するように矢印Ａに示す通り垂直方向に力を加えた後、矢印Ｂに示す通り外側（裏地カーテンの差込部側方向）に第１のフック部１３を引っ張ることにより第１のフック部を取り外すことが可能となる。
【００３４】  そのため、カーテンフック本体１０の頂部から溝部１５までのＡ吊り用・Ｂ吊り用の両方の吊りに対応するのに十分な長さのラチェット部１２をカーテンフック本体１０に形成することができ、なおかつ第１のフック部１３の取り外しが可能となる。
【００３５】  このような構成にすることにより、第１のフック部１３は、既存のフック部を使用することが可能となる。そのため、新たに型を起こして特別なフック部を作製しなくてすむ。
【００３６】  このように構成した第１のカーテンフックを所定間隔で表地カーテンと裏面カーテンに取り付けて一体化してカーテンランナーに取り付けることができ、また一体化したカーテンは、Ａ吊り、Ｂ吊りにも対応してカーテンの吊り位置を調整することが可能である。したがって、従来技術のように複雑な作業なしで表地カーテンと裏地カーテンを装着しカーテンランナーに取り付け可能であり、しかも表地カーテンを吊るした状態で、裏地カーテンを取り外し・取り付け可能となる。
【００３７】（第２実施形態）
次に、図５に基づいて本発明の第２実施形態に係るカーテン用アジャスターフック（以下、第２のカーテンフックと略称する）について説明する。
【００３８】  なお、図５に示す第２のカーテンフックは、図１から図４に示す第１のカーテンフックにおいて、カーテンフック本体１０の底部の他方の側面に固定して設けられた裏地カーテン係止用の第２の差込部１４に代えて、裏地カーテン差込用の第２のフック部１４’を用いた点、カーテンフック本体１０の溝部１５で切れているラチェット部１２に代えてカーテンフック本体の頂部から底部に亘って設けられたラチェット部１２’を有する点以外は同様の構成を有しているので、同一部材には同一符号を附してその詳細な説明は省略する。
【００３９】  すなわち、図５に示す通り、第２のカーテンフックは、カーテンランナー係止用のフックである第１のフック部１３に加えて、裏地カーテン差込用の第２のフック部１４’をカーテンフック本体の頂部から底部に亘って設けられたラチェット部１２’に差し込んで各々位置調整可能に固定する構成を有している。
【００４０】  第２のフック部１４’は、フックが第１のフック部１３と対向する位置に取り付けられている点を除いて第１のフック部１３と同様の構成を有している。すなわち、第１のフック部１２における爪部１３ａ’とフック１３ｂがボックス１３ａの上側に設けられている。
【００４１】  このように構成することによって、まず、第２のフック部１４’をカーテンフック本体１０のラチェット部１２’に差し込んでカーテンフック本体１０の底部側に固定し、次いで第１のフック部１３をカーテンフック本体１０のラチェット部１２’に差し込んでカーテンフック本体１０の頂部側に固定する。
【００４２】  このようにカーテンフック本体１０に第１のフック部１３と第２のフック部１４’を固定した状態で、カーテン差込部１１に表地カーテンを差し込んで、第２のフック部１４’に裏地カーテンを差し込んで、カーテンランナーに第１のフック部１３を係止する。
【００４３】  したがって、第２のカーテンフックも第１のカーテンフックと同様に、表地カーテンと裏地カーテンを一体化でき、Ａ吊り、Ｂ吊りにも対応してカーテンの吊り位置を調整することが可能であり、従来技術のように複雑な作業なしで表地カーテンと裏地カーテンを装着しカーテンランナーに取り付け可能であり、しかも表地カーテンを吊るした状態で、裏地カーテンを取り外し・取り付け可能となる。しかも、第２のカーテンフックは、カーテンフック本体１０と第１のフック部１３を既存の製品を使えるので第２のフック部１４’を新たに作製するだけですむ。
【００４４】（第３実施形態）
次に本発明の第３実施形態を図６に基づいて説明する。本発明の第３実施形態は、表地カーテンＣ１と裏地カーテンＣ２を複数の第１または第２カーテンフックの差込部１１、第２の差込部１４（または第２カーテンフックにおいては第２のフック部１４’）に各々所定間隔で差し込んで一体化したカーテンセットである。
【００４５】  このように構成されたカーテンセットにおいて、各々所定間隔で配置された複数の第１または第２カーテンフックの第１のフック部１３をカーテンランナーＲに係止することにより表地カーテンＣ１と裏地カーテンＣ２の両方が係止されたカーテンを提供することが可能である。
【００４６】  本発明のカーテンセットにおいて適用可能な裏地カーテンとは、遮光性、遮音性、花粉等の粒子付着性等の種々の機能性を有するカーテンであることができる。このような裏地カーテンは、例えば洗濯時や他の機能性カーテンと交換時に第２の差込部１４（または第２カーテンフックにおいては第２のフック部１４’）から表地カーテンを取り外さない状態で直接取り外しが可能であり、またカーテンランナーＲから第１または第２のカーテンフックを外すことなしに裏地カーテンを容易に係止可能である。
【００４７】  そのため、裏地カーテンを洗濯して再度取り付ける以外に種々の用途に適用可能である。例えば、従来需要がなかった使い捨てカーテン（紙製・プラスチック製の織布、不織布）に機能性を付与した裏地カーテンを状況に応じて交換可能に提供することができる。
【産業上の利用可能性】
【００４８】  以上説明した本発明の第１実施形態に係るカーテン用アジャスターフックは、表地カーテンと裏地カーテンを容易に一体化でき、表地カーテンの吊り位置を自在に調整することが可能であるとともに、カーテンフックに表地カーテンおよびカーテンランナーを係止したまま、裏地カーテンを着脱することができる。そのため、裏地カーテンを取り外して取り替えることやカーテンを表地カーテンランナーから取り外すことなく容易に裏地カーテンを装着することが可能となる。【００４９】  前記ランナー掛け用のフックの取り外し機構が前記ラチェット部と前記カーテンフックの底部との間に設けられた少なくとも前記ラチェット係合用ボックスの高さ以上の長さを有する溝部であり、前記ランナー掛け用のフック部を前記溝部に位置した際に前記裏地カーテンの差込部側に前記フック部を引っ張ることにより前記フック部を外せるように構成すると、上記効果に加えてフック部を自在に着脱可能となる。しかも、フック部として既存のカーテンフックを用いることができるので、新たに特別なフック部を作製しなくてすむ。【００５０】  本発明の第２実施形態に係るカーテン用アジャスターフックは、第１実施形態と同様に表地カーテンと裏地カーテンを容易に一体化でき、表地カーテンの吊り位置を自在に調整することが可能であるとともに、カーテンフックに係止したまま、裏地カーテンを着脱することができる。そのため、裏地カーテンを取り外して取り替えることやカーテンを表地カーテンおよびカーテンランナーから取り外すことなく容易に裏地カーテンを装着することが可能となる。また、裏地カーテンの吊り位置も必要に応じて調整可能である。【００５１】  本発明の第３実施形態に係るカーテンセットは、第１実施形態または第２実施形態と同様な効果を奏するとともに、多種多様の機能を有する裏地カーテンを季節、状態に応じて表地カーテンを外すことなく取り替えることが可能となる。
【符号の説明】
【００５２】１０  カーテンフック本体
１１  カーテン差込部
１２  ラチェット部
１３  第１のフック部
１３ａ  ボックス
１３ａ’  爪部
１４  第２の差込部
１４’  第２のフック部
１５  溝部
【図１】
2014217709.tif 000003
【図２】
2014217709.tif 000004
【図３】
2014217709.tif 000005
【図４】
2014217709.tif 000006
【図５】
2014217709.tif 000007
【図６】
2014217709.tif 000008
【図７】
2014217709.tif 000009
【図８】
2014217709.tif 000010